(57)【要約】【課題】  地域内に進入する車両を監視することで、不審車両をいち早く発見し、地域居住者に警報を発する。【解決手段】  特定地域と外部とのアクセス道路に設置された車両ナンバーを読み取るＷｅｂカメラ１１と、このＷｅｂカメラ１１により読み取られた車両ナンバーを収集し管理するセキュリティー管理装置２１と、地域居住者が所持する端末装置３１とが通信ネットワークＮによって接続されたシステムであって、セキュリティー管理装置２１は、地域居住者が所有するまたは登録した車両ナンバーを登録する居住者データベース２２と、進入車両の車両ナンバーと居住者データベース２２に登録されている車両ナンバーとを照合する照合手段２４とを備えており、照合手段２４での照合の結果、車両ナンバーが一致しない場合には地域居住者の全端末装置３１に対して不審車両の地域内への進入を通報する。【選択図】  図１
2005165616.tif 000002
【特許請求の範囲】
【請求項１】
特定地域と外部とのアクセス道路に設置され、地域内に進入しまたは地域内から出て行く車両の車両ナンバーを読み取る読み取り装置と、前記読み取り装置により読み取られた車両ナンバーを収集し管理するセキュリティー管理装置と、前記特定地域の居住者が所持する端末装置とが通信回線網によって接続された特定地域防犯システムであって、
前記セキュリティー管理装置は、前記特定地域内の居住者が所有するまたは登録した車両ナンバーを記憶する記憶手段と、前記読み取り装置により読み取られた進入車両の車両ナンバーと前記記憶手段に記憶されている車両ナンバーとを照合する照合手段とを備えており、前記照合手段での照合の結果、車両ナンバーが一致しない場合には地域居住者の全端末装置に対して不審車両の地域内への進入を通報し、
前記端末装置は、前記セキュリティー管理装置から不審車両の通報はあったときには、不審車両の地域内への進入を居住者に通知することを特徴とする特定地域防犯システム。
【請求項２】
前記セキュリティー管理装置は、前記読み取り装置により読み取られた不審車両の車両ナンバーとその不審車両の進入時刻及び退出時刻とを関連付けて記憶する第２記憶手段を備えており、前記第２の記憶手段に記憶された進入時刻から予め設定された一定時間が経過しても不審車両が地域内から出て行かない場合に初めて、地域居住者の全端末装置に対して不審車両の地域内への進入を通報することを特徴とする請求項１に記載の特定地域防犯システム。
【請求項３】
前記端末装置は、通報されてきた不審車両を前記記憶手段に新たに登録可能な登録手段を備えており、居住者は、通報されてきた不審車両が居住者宅への来訪車両である場合には、前記登録手段によって車両登録を行い、
前記セキュリティー管理装置は、前記端末装置から車両登録が行われた場合には、その登録内容を前記記憶手段に記憶するとともに、地域居住者の全端末装置に対して不審車両の通報を取り消すことを特徴とする請求項１または請求項２に記載の特定地域防犯システム。
【請求項４】
前記セキュリティー管理装置は、警察等の公的機関に設置されている手配車両の車両ナンバーを登録しているデータベースに通信回線を介して接続可能に設けられており、
前記照合手段は、前記読み取り装置により読み取られた進入車両の車両ナンバーと前記データベースに登録されている手配車両の車両ナンバーとを照合し、車両ナンバーが一致する場合には、手配車両が特定地域内に進入したことを警察等の公的機関に通報することを特徴とする請求項１に記載の特定地域防犯システム。
【請求項５】
前記記憶手段には、各居住者と各居住者の所有するまたは登録した車両ナンバーとが対応付けられて記憶されており、
前記セキュリティー管理装置は、前記照合手段での照合の結果、前記読み取り装置により読み取られた進入車両の車両ナンバーが前記記憶手段に記憶されている車両ナンバーと一致する場合には、その車両ナンバーに対応付けられている居住者の端末装置に対して該当車両の地域内への進入を通報することを特徴とする請求項１または請求項２に記載の特定地域防犯システム。
【発明の詳細な説明】
【技術分野】
【０００１】
本発明は、特定地域と外部とのアクセス道路に車両ナンバーを読み取る読み取り装置を設置し、特定地域への車両の進入及び特定地域内からの車両の退出を監視する特定地域防犯システムに関する。
【背景技術】
【０００２】
近時、凶悪犯罪の増加に伴い、セキュリティーに対する要望、ニーズが高まっている。そのため、最近では、セキュリティーシステムを装備した住宅も増加している。この場合、防犯は、各住宅単位で個別に行うことになる。
【０００３】
一方、最近では学校や通学路、公園といった身近で安全なはずの「住宅街」でも犯罪が増えており、単に住宅にとどまらず地域ぐるみ、街ぐるみの安全対策が不可欠となっている。そこで、このような観点から、特定地域、集合体を一つの防犯対象とし、その地域または集合体全体で防犯等を支援する地域セキュリティー支援システムが提案されている（例えば、特許文献１参照）。
【０００４】
この支援システムは、各住民個人の通信端末機器をネットワークで接続し、支援システムを運営、管理するセンターの情報中継基地局を介して、地域住民が相互に送受信できる構成となっており、防犯に関しては、各住宅に設置された警報機器が不審者の侵入等の異常事態を検知した場合に、情報中継基地局を介して各地域住民の通信端末機器に自動通報する構成となっている。
【特許文献１】特開２００３−２９６８３５号公報
【発明の開示】
【発明が解決しようとする課題】
【０００５】
しかしながら、上記従来のセキュリティー支援システムでは、実際に不審者が住宅に侵入した時点でしか各地域住民に通報することができず、防犯を未然に防止するという点で必ずしも十分であるとは言えないといった問題があった。防犯効果をより高めるためには、不審者がその地域内に入ってきた時点で地域住民に通報できるのが望ましい。
【０００６】
ところで、最近の犯罪は、車両を使用して行われることが多い。そのため、不審車両が地域に進入した時点でこれを検知し、地域住民に通報できれば防犯効果をより高めることができる。
【０００７】
本発明はこのような観点に立って創案されたもので、その目的は、地域内に進入する車両を監視することで、不審車両をいち早く発見し、地域住民（居住者）に警報を発することのできる特定地域防犯システムを提供することにある。
【課題を解決するための手段】
【０００８】
本発明の特定地域防犯システムは、特定地域と外部とのアクセス道路に設置され、地域内に進入しまたは地域内から出て行く車両の車両ナンバーを読み取る読み取り装置と、前記読み取り装置により読み取られた車両ナンバーを収集し管理するセキュリティー管理装置と、前記特定地域の居住者が所持する端末装置とが通信回線網によって接続された特定地域防犯システムであって、前記セキュリティー管理装置は、前記特定地域内の居住者が所有するまたは登録した車両ナンバーを記憶する記憶手段と、前記読み取り装置により読み取られた進入車両の車両ナンバーと前記記憶手段に記憶されている車両ナンバーとを照合する照合手段とを備えており、前記照合手段での照合の結果、車両ナンバーが一致しない場合には地域居住者の全端末装置に対して不審車両の地域内への進入を通報し、前記端末装置は、前記セキュリティー管理装置から不審車両の通報はあったときには、不審車両の地域内への進入を居住者に通知することを特徴とする。
【０００９】
このような特徴を有する本発明によれば、地域内に進入してくる車両の車両ナンバーを読み取り、これを地域居住者が所有するまたは登録した車両ナンバーと照合することで、不審車両を容易に特定することができ、地域居住者に不審車両の進入を通報することができる。これにより、在宅中の地域居住者は、不審車両を監視することができ、セキュリティー管理装置が設置された防犯センターと連絡を取り合うことで、不審車両の動きを追跡することができる。また、車両ナンバーの読み取り装置を地域内の複数箇所に設置しておくことで、読み取り装置による不審車両の自動追跡も合わせて行うことが可能となる。
【００１０】
この場合、地域居住者等の車両ナンバーと一致しないからとって、必ずしも不審車両とは限らない場合もある。そのような場合に、その都度地域居住者に通報していたのでは、地域居住者も頻繁に不審車両の通報を受けることになり、逆に不安を増す結果となる。
【００１１】
そこで、本発明の特定地域防犯システムでは、前記セキュリティー管理装置は、前記読み取り装置により読み取られた不審車両の車両ナンバーとその不審車両の進入時刻及び退出時刻とを関連付けて記憶する第２記憶手段を備えており、前記第２の記憶手段に記憶された進入時刻から予め設定された一定時間が経過しても不審車両が地域内から出て行かない場合に初めて、地域居住者の全端末装置に対して不審車両の地域内への進入を通報するように構成してもよい。
【００１２】
これにより、単にその地域内を通過するだけの車両等を不審車両から排除することができ、不審車両の通報精度を上げることができる。
【００１３】
また、本発明の特定地域防犯システムによれば、前記端末装置は、通報されてきた不審車両を前記記憶手段に新たに登録可能な登録手段を備えており、居住者は、通報されてきた不審車両が居住者宅への来訪車両である場合には、前記登録手段によって車両登録を行い、前記セキュリティー管理装置は、前記端末装置から車両登録が行われた場合には、その登録内容を前記記憶手段に記憶するとともに、地域居住者の全端末装置に対して不審車両の通報を取り消すように構成してもよい。
【００１４】
上記したように、地域居住者等の車両ナンバーと一致しないからとって、必ずしも不審車両とは限らない場合もある。例えば、居住者宅への来訪者である場合もある。この場合、居住者は、予め来訪者の車両ナンバーをセキュリティー管理装置の記憶手段に登録しておけば問題ないが、これを忘れていた場合には、来訪車両が不審車両として通報されることになる。そこで、このような事態を即座に回避可能とするために、来訪者宅の居住者は、不審車両として通報を受けた場合に、登録手段によって来訪者の車両ナンバーを即座に登録可能としている。これにより、来訪車両を不審車両の対象から外すことができる。
【００１５】
また、本発明の特定地域防犯システムによれば、前記セキュリティー管理装置は、警察等の公的機関に設置されている手配車両の車両ナンバーを登録しているデータベースに通信回線を介して接続可能に設けられており、前記照合手段は、前記読み取り装置により読み取られた進入車両の車両ナンバーと前記データベースに登録されている手配車両の車両ナンバーとを照合し、車両ナンバーが一致する場合には、手配車両が特定地域内に進入したことを警察等の公的機関に通報するように構成してもよい。
【００１６】
このような警察等との連携により、不審車両といった漠然とした通報だけでなく、手配車両の通報も可能となり、地域の防犯効果をより高めるとができる。
【００１７】
さらに、本発明の特定地域防犯システムによれば、前記記憶手段には、各居住者と各居住者の所有するまたは登録した車両ナンバーとが対応付けられて記憶されており、前記セキュリティー管理装置は、前記照合手段での照合の結果、前記読み取り装置により読み取られた進入車両の車両ナンバーが前記記憶手段に記憶されている車両ナンバーと一致する場合には、その車両ナンバーに対応付けられている居住者の端末装置に対して該当車両の地域内への進入を通報する構成としてもよい。
【００１８】
つまり、記憶手段に各居住者と各居住者の所有するまたは登録した車両ナンバーとが対応付けられて記憶されていることを利用し、また車両ナンバーを照合する手段を備えていることを利用して、防犯のみならず、家族の帰宅を事前に知らせる付加サービスを提供することができる。
【発明の効果】
【００１９】
本発明の特定地域防犯システムによれば、特定地域内に進入してくる車両の車両ナンバーを読み取り、これを地域居住者が所有するまたは登録した車両ナンバーと照合することで、不審車両を容易に特定することができる。これにより、地域居住者に不審車両の進入をいち早く通報することができるとともに、在宅中の地域居住者においても不審車両を監視することができ、セキュリティー管理装置が設置された防犯センターと連絡を取り合うことで、不審車両の動きを追跡することができる。また、車両ナンバーの読み取り装置を地域内の複数箇所に設置しておくことで、読み取り装置による不審車両の自動追跡も合わせて行うことが可能となる。
【００２０】
また、本発明の特定地域防犯システムによれば、居住者は、通報されてきた不審車両が居住者宅への来訪車両である場合には、登録手段によって車両登録を行い、セキュリティー管理装置は、端末装置から車両登録が行われた場合には、その登録内容を記憶手段に記憶するとともに、地域居住者の全端末装置に対して不審車両の通報を取り消すようにしている。これにより、これにより、来訪車両を不審車両の対象から外すことができるとともに、登録車両を増やすことで記憶手段の内容を充実させることができる。
【００２１】
また、本発明の特定地域防犯システムによれば、読み取り装置により読み取られた進入車両の車両ナンバーと記憶手段に記憶されている車両ナンバーとを照合した結果、車両ナンバーが一致しない場合には、次に、読み取り装置により読み取られた進入車両の車両ナンバーとデータベースに登録されている手配車両の車両ナンバーとを照合し、車両ナンバーが一致する場合には、手配車両が特定地域内に進入したことを警察等の公的機関に通報するように構成している。このような警察等との連携により、不審車両といった漠然とした通報だけでなく、手配車両の通報も可能となり、地域の防犯効果をより高めるとができる。
【００２２】
さらに、本発明の特定地域防犯システムによれば、記憶手段に各居住者と各居住者の所有するまたは登録した車両ナンバーとが対応付けられて記憶されていることを利用し、また車両ナンバーを照合する手段を備えていることを利用して、防犯のみならず、家族の帰宅を事前に知らせる付加サービスを提供することができる。
【発明を実施するための最良の形態】
【００２３】
以下、本発明の実施の形態について、図面を参照して説明する。
【００２４】
図１は、本発明の特定地域防犯システムの全体構成を示すブロック図である。
【００２５】
本実施形態の特定地域防犯システムは、特定地域と外部とのアクセス道路に設置され、地域内に進入しまたは地域内から出て行く車両の車両ナンバーを読み取る読み取り装置である例えばＷｅｂカメラ１１と、このＷｅｂカメラ１１により読み取られた車両ナンバーを収集し管理するセキュリティー管理装置２１と、特定地域の居住者が所持する端末装置３１とが通信回線Ｎによって接続されたシステム構成となっている。
【００２６】
セキュリティー管理装置２１は、特定地域内の居住者が所有するまたは登録した車両ナンバーを記憶する記憶手段である居住者データベース２２と、Ｗｅｂカメラ１１により読み取られた進入車両の車両ナンバーと居住者データベース２２に登録されている車両ナンバーとを照合する照合手段２４と、Ｗｅｂ１１により読み取られた不審車両の特定地域への進入及び退出の履歴を管理する不審車両管理データベース２３とを備えており、照合手段２４での照合の結果、車両ナンバーが一致しない場合には地域居住者の全端末装置３１に対して不審車両の地域内への進入を通報するとともに、不審車両として不審車両管理データベース２３に各種情報（これについては後述する）を登録するようになっている。また、セキュリティー管理装置２１は、車両の地域内への進入時刻及び地域からの退出時刻を計時する時計部２５も備えている。
【００２７】
端末装置３１は、セキュリティー管理装置２１から不審車両の通報があったときには、不審車両の地域内への進入を居住者に通知するようになっている。また、不審車両として通知された車両が自宅への訪問車両である場合には、不審車両を訂正し訪問車両として登録できる機能を備えている。
【００２８】
端末装置３１は、具体的には地域居住者が所有しているパソコンが一般的であるが、この他にもＰＤＡや携帯電話機といった種々の情報通信端末を使用することが可能である。特に携帯電話機は近時急速に普及しており、外出時でも手軽に携行できることから、外出先においても自宅周辺の不審車両の状況を把握することができて便利である。ただし、この他にも本システムの一部として構築した専用の端末を各家庭に設置してもよい。
【００２９】
図２は、特定地域Ａの一例を模式的に示した平面図である。
【００３０】
この特定地域Ａは、外部とのアクセス道路Ｂ１が１箇所に限定されている場合を例示しており、このアクセス道路Ｂ１の入口に、特定地域Ａ内に進入してくる車両の車両ナンバーを読み取る進入用のＷｅｂカメラ１１ａと、特定地域Ａ内から出て行く車両の車両ナンバーを読み取る退出用のＷｅｂカメラ１１ｂとが設置されている。なお、本実施形態では、特定地域Ａと外部とのその他のアクセス道路Ｂ２〜Ｂ５は、車両の通り抜けができないようにポール等が設置されているものとする。また、アクセス道路Ｂ１の入口付近には、進入車両のスピードを落とさせて車両ナンバーを読み取り易くするための工夫として、例えば路面に凹凸を設けたり、道路自体を蛇行させるようにしている。
【００３１】
図３は、居住者データベース２２のデータ構成の一例を示している。
【００３２】
この居住者データベース２２は、居住者氏名、ＩＤ番号、居住者が所有するまたは登録した車両ナンバーの各項目からなっている。また、車両ナンバーについては、さらに項目を細分化して登録することが可能である。例えば、地域居住者の所有する車両、地域居住者の知人の車両等である。また、地域居住者と直接関連させないその他の車両ナンバーとして、サービス車両（宅配便、清掃車、クリーニング車両等）や公共車両（郵便集配車、消防車両、パトカー等）等の項目を設けておいてもよい。なお、これらの車両のうち地域居住者の所有する車両や地域居住者の知人の車両等に関しては、プライバー等の保護のため、入退出の記録はとらないようにする。
【００３３】
図４は、不審車両管理データベース２３のデータ構成の一例を示している。
【００３４】
この不審車両管理データベース２３は、不審車両ナンバー、進入日時、退出日時、特定地域内への滞在時間、特徴（色、タイプ、車種等）の各項目からなっている。ここで、特徴の項目欄については、Ｗｅｂカメラ１１から取得することは難しい情報もあるため、地域居住者の目視による情報提供を得て、この特徴の項目欄に順次書き込んでいくことで、より詳細な車の特徴を収集することができる。また、不審車両の項目もさらに細分化することが可能である。例えば、居住者からの申告はないが不審車両でもない未確認車両と、事件発生時に地域内にいた未確認車両及び明らかに不審な行動を起こした（同じところを何回も回る等）車両である不審車両とに区別することができる。
【００３５】
次に、上記構成の特定地域防犯システムを用いて特定地域Ａを監視する具体的実施例について説明する。
【実施例１】
【００３６】
アクセス道路Ｂ１の入口に設置されたＷｅｂカメラ１１ａ，１１ｂは、接近する車両を検知する検知センサ（図示省略）を備えており、この検知センサにより接近する車両を検知すると、Ｗｅｂカメラ１１ａ，１１ｂによって接近車両の車両ナンバーを読み取る。読み取った車両ナンバーは、通信回線Ｎを通じてセキュリティー管理装置２１に送信される。なお、このような車両ナンバーを読み取る技術は、すでに高速道路や一般道路でもスピード監視カメラとして実用化されているので、ここでは具体的な説明を省略する。
【００３７】
セキュリティー管理装置２１では、送信されてきた車両ナンバーが、どちらのＷｅｂカメラ１１ａ，１１ｂによって撮影されたものであるかを認識して、車両が特定地域Ａ内に進入してきたものであるのか、特定地域Ａから退出するものであるのかを判断する。そして、その判断結果と、送信されてきた日時と、車両ナンバーとを図示しない内部メモリに一時的に格納する。
【００３８】
また、セキュリティー管理装置２１は、これと同時に、送信されてきた車両ナンバーと居住者データベース２２に予め登録されている車両ナンバーとを照合手段２４によって照合する。その結果、Ｗｅｂカメラ１１ａから送信されてきた車両ナンバーが居住者データベース２２に登録されている何れの車両ナンバーとも一致しない場合には、地域居住者の全端末装置３１に対して不審車両（未確認車両等を含む）の地域内への進入を通報する。
【００３９】
また、セキュリティー管理装置２１は、この時点で、内部メモリに一時的に格納していた車両の情報を不審車両管理データベース２３に書き込む。例えば、不審車両の車両ナンバー（例えば、「大阪３００あ○○−○○」）が進入用のＷｅｂカメラ１１ａで読み取られ、その読み取り日時が例えば「２００３年１１月２５日、午後３時２５分」であった場合、不審車両管理データベース２３には、図５（ａ）に示すように、不審車両ナンバーの欄２３ａに「大阪３００あ○○−○○」を登録し、進入日時の項目に「２００３年１１月２５日、午後３時２５分」を登録する。
【００４０】
一方、端末装置３１は、セキュリティー管理装置２１から不審車両の通報を受け取ると、不審車両の地域内への進入を居住者に通知する。
【００４１】
図６は、端末装置３１による不審車両の通知例を示しており、この例では表示画面に不審車両の通知メッセージを表示するようになっている。具体的には、「ただいま○○−○○」の不審車両が侵入しました。注意して下さい。」等のメッセージと、このメッセージを見た居住者が応答確認を行うための「ＯＫ」と記載された操作ボタン３２とが表示される。なお、不審車両管理データベース２３に、過去にその不審車両が登録されており、特徴の項目欄にその不審車両の特徴が記録されている場合には、セキュリティー管理装置２１はその特徴も合わせて通報し、端末装置３１では、その特徴も合わせて表示するようにしてもよい。
【００４２】
ここで、本実施例１では、表示されている「ＯＫ」の操作ボタン３２を居住者が操作すると、その操作信号がセキュリティー管理装置２１に転送されるようになっている。すなわち、セキュリティー管理装置２１側で、不審車両の通報がどの程度地域居住者に周知されているかを確認できるようになっている。
【００４３】
この後、進入した同じ不審車両がアクセス道路Ｂ１を通過して特定地域Ａから退出して行った場合には、アクセス道路Ｂ１の入口に設置された退出用のＷｅｂカメラ１１ｂがその車両ナンバーを読み取り、読み取った車両ナンバーを通信回線Ｎを通じてセキュリティー管理装置２１に送信する。
【００４４】
セキュリティー管理装置２１は、送信されてきた車両ナンバーと不審車両管理データベースに格納されている不審車両の車両ナンバーとを照合し、一致する車両ナンバーの該当欄２３ａに不審車両の情報を登録する。例えば、不審車両の退出日時が「２００３年１１月２５日、午後３時４５分」であった場合、不審車両管理データベース２３には、図５（ｂ）に示すように、該当する不審車両ナンバーの欄２３ａの退出日時の項目に「２００３年１１月２５日、午後３時４５分」を登録し、滞在時間の項目に「２０分」を登録する。なお、特徴については、上記した通り、居住者からの通報による事後登録となる。
【００４５】
不審車両管理データベース２３には、不審車両が特定地域Ａに入退出を繰り返すたびに、図５（ｂ）に示すような不審車両の入退出の履歴が順次蓄積されることになる。
【実施例２】
【００４６】
上記実施例１では、不審車両を検知すると即座に地域居住者の端末装置３１に通報するように構成しているが、地域居住者等の車両ナンバーと一致しないからとって、必ずしも不審車両とは限らない場合もある。そのような場合に、その都度地域居住者に通報していたのでは、地域居住者も頻繁に不審車両の通報を受けることになり、逆に不安を増す結果となる。
【００４７】
そこで、本実施例２では、このような不具合を解消すべく、セキュリティー管理装置２１は、Ｗｅｂカメラ１１ａ，１１ｂにより読み取られた不審車両の車両ナンバーとその不審車両の進入時刻及び退出時刻とが関連付けられて不審車両管理データベース２３に格納されることを利用し、この不審車両管理データベース２３に格納された進入時刻から予め設定された一定時間（例えば、５分等）が経過しても不審車両が特定地域Ａ内から出て行かない場合に初めて、地域居住者の全端末装置３１に対して不審車両の地域内への進入を通報するように構成する。これにより、単にその地域Ａ内を通過するだけ（若しくは、単に迷い込んだだけ）の車両等を不審車両から排除することができ、不審車両の通報精度を上げることができる。
【実施例３】
【００４８】
上記実施例２と同様に、地域居住者等の車両ナンバーと一致しないからとって、必ずしも不審車両とは限らない場合もある。例えば、居住者宅への来訪者である場合もある。この場合、居住者は、来訪者の車両ナンバーをセキュリティー管理装置２１の居住者データベース２２に予め登録しておけば問題ないが、これを忘れていた場合には、来訪車両が不審車両として通報されることになる。
【００４９】
そこで、本実施例３では、このような事態を即座に回避可能とするために、来訪者宅の居住者は、不審車両として通報を受けた場合に、端末装置３１を操作して来訪者の車両ナンバーを即座に居住者データベース２２に登録可能としている。これにより、来訪車両を不審車両の対象から外すことができる。
【００５０】
図７（ａ）は、端末装置３１を用いて来訪者の車両ナンバーを不審車両の対象から外す場合の操作画面例を示している。本実施例３では、図７（ａ）に示すようなメッセージの通報が端末装置３１の表示画面に表示されており、その画面下部に「登録」ボタン３３が表示されている。従って、居住者は、表示されている不審車両扱いとなっている車両ナンバーを来訪車両として登録する場合には、表示画面の「登録」ボタン３３を操作する。これにより、表示画面には、図７（ｂ）に示す登録画面が表示されるので、居住者は、その画面の中から来訪車両の種別を選択し、最後に「登録」ボタン３４を操作する。
【００５１】
例えば、登録画面の「２）知人」を選択し、「登録」ボタン３４を操作する。この場合、名称欄３５に例えば知人の氏名「ＢＢＢＢ」と入力してから「登録」ボタン３４を操作すると、［２）知人、氏名「ＢＢＢＢ」］の情報が、その端末装置３１に割り振られているＩＤ番号（例えば、「ａａａａ」等）とともにセキュリティー管理装置２１に送信される。
【００５２】
セキュリティー管理装置２１では、これらのデータを受け取ると、ＩＤ番号に基づいて居住者（例えば、図３に示す最上欄の「田中××」）を特定し、その居住者の車両ナンバーの項目欄に、今回のデータである［２）知人、氏名「ＢＢＢＢ」］を、不審車両として通報した車両ナンバーに対応させて登録する。これにより、来訪車両を不審車両の対象から外すことができる。以後、この車両が特定地域Ａに進入しても、セキュリティー管理装置２１では、来訪車両として扱う（すなわち、不審車両として通報しない）ことになる。
【００５３】
この場合、セキュリティー管理装置２１は、来訪車両の登録を完了すると、地域居住者の全端末装置３１に対して訂正通知を行う。
【００５４】
図７（ｃ）は訂正通知があった場合の端末装置３１の表示画面例を示している。この例では、「不審車両として通知した○○−○○の車はこの街の居住者宅への来訪車両でした。」等のメッセージを表示する。
【実施例４】
【００５５】
図８は、本実施例４の特定地域防犯システムのシステム構成図を示している。
【００５６】
上記実施例１〜３の特定地域防犯システムは、Ｗｅｂカメラ１１とセキュリティー管理装置２１と端末装置３１とでシステムが完結する構成であったが、本実施例４では、例えば警察署等の公的機関に設置されているサーバ装置４１と通信回線Ｎを介して接続可能とし、サーバ装置４１に設けられている手配車両の車両ナンバーを登録している手配車両データベース４２を利用可能とすることで、防犯効果をより高めるようにしたものである。
【００５７】
すなわち、アクセス道路Ｂ１の入口に設置されたＷｅｂカメラ１１ａ，１１ｂによって接近車両の車両ナンバーが読み取られると、この読み取られた車両ナンバーは、通信回線Ｎを通じてセキュリティー管理装置２１に送信される。
【００５８】
セキュリティー管理装置２１では、送信されてきた車両ナンバーが、どちらのＷｅｂカメラ１１ａ，１１ｂによって撮影されたものであるかを認識して、車両が特定地域Ａ内に進入してきたものであるのか、特定地域Ａから退出するものであるのかを判断する。そして、その判断結果と、送信されてきた日時と、車両ナンバーとを図示しない内部メモリに一時的に格納する。
【００５９】
また、セキュリティー管理装置２１は、これと同時に、送信されてきた車両ナンバーと居住者データベース２２に予め登録されている車両ナンバーとを照合手段２４によって照合する。その結果、Ｗｅｂカメラ１１ａから送信されてきた車両ナンバーが居住者データベース２２に登録されている何れの車両ナンバーとも一致しない場合には、地域居住者の全端末装置３１に対して不審車両（未確認車両等を含む）の地域内への進入を通報する。
【００６０】
また、セキュリティー管理装置２１は、この時点で、内部メモリに一時的に格納していた車両の情報を不審車両管理データベース２３に書き込む。例えば、不審車両の車両ナンバー（例えば、「大阪３００い△△−△△」）が進入用のＷｅｂカメラ１１ａで読み取られ、その読み取り日時が例えば「２００３年１１月２６日、午後３時２５分」であった場合、不審車両管理データベース２３には、図９（ａ）に示すように、不審車両ナンバーの欄２４ａに「大阪３００い△△−△△」を登録し、進入日時の項目に「２００３年１１月２６日、午後３時２５分」を登録する。
【００６１】
ここまでの処理は、上記実施例１の場合と同じである。
【００６２】
次にセキュリティー管理装置２１は、通信回線Ｎを介して警察署のサーバ装置４１にアクセスし、サーバ装置４１内の手配車両データベース４２を検索して、送信されてきた車両ナンバーと手配車両データベース４２に登録されている車両ナンバーとを照合手段２４によって照合する。その結果、Ｗｅｂカメラ１１ａまたは１１ｂから送信されてきた車両ナンバーが手配車両データベース４２に登録されている何れかの車両ナンバーと一致する場合には、地域居住者の全端末装置３１に対して不審車両が犯罪に絡んだ手配車両であることを通報する。これと同時に、セキュリティー管理装置２１は、最寄りの警察署に対して手配車両が街内に進入したことを通報する。
【００６３】
一方、端末装置３１は、セキュリティー管理装置２１から手配車両の通報を受け取ると、手配車両の地域内への進入を居住者に通知する。
【００６４】
図１０は、端末装置３１による手配車両の通知例を示しており、この例では表示画面に手配車両の通知メッセージを表示するようになっている。具体的には、「ただいま警察の手配車両である△△−△△が街内に侵入しました。注意して下さい。」等のメッセージと、このメッセージを見た居住者が応答確認を行うための「ＯＫ」と記載された操作ボタン３２とが表示される。なお、手配車両データベース４２に手配車両の特徴等が記録されている場合には、セキュリティー管理装置２１はその特徴も合わせて通報し、端末装置３１では、その特徴も合わせて表示するようにしてもよい。
【００６５】
ここで、本実施例４では、表示されている「ＯＫ」の操作ボタン３２を居住者が操作すると、その操作信号がセキュリティー管理装置２１に転送されるようになっている。すなわち、セキュリティー管理装置２１側で、手配車両の通報がどの程度地域居住者に周知されているかを確認できるようになっている。
【００６６】
この後、街に進入した手配車両がアクセス道路Ｂ１を通過して特定地域Ａから退出して行った場合には、アクセス道路Ｂ１の入口に設置された退出用のＷｅｂカメラ１１ｂがその車両ナンバーを読み取り、読み取った車両ナンバーを通信回線Ｎを通じてセキュリティー管理装置２１に送信する。
【００６７】
セキュリティー管理装置２１は、送信されてきた車両ナンバーと不審車両管理データベース２３に格納されている不審車両（この場合は手配車両）の車両ナンバーとを照合し、一致する車両ナンバーの該当欄２４ａに不審車両（手配車両）の情報を登録する。例えば、不審車両（手配車両）の退出日時が「２００３年１１月２６日、午後３時４５分」であった場合、不審車両管理データベース２３には、図９（ｂ）に示すように、該当する手配車両ナンバーの欄２４ａの退出日時の項目に「２００３年１１月２６日、午後３時４５分」を登録し、滞在時間の項目に「２０分」を登録する。この場合、この不審車両ナンバーの欄２４ａの左端に手配車両の有無をチックするチェック項目２５を設けておき、このチェック項目２５にチェックを入れておくことで、以後、セキュリティー管理装置２１は、不審車両が警察の手配車両であるかどうかを確認できるので、地域居住者の端末装置３１に手配車両の侵入警報を即座に通知することが可能となる。
【００６８】
このような警察等との連携により、不審車両といった漠然とした通報だけでなく、手配車両の通報も可能となり、また手配車両を警察にいち早く通報できるので、地域の防犯効果をより高めるとができる。
【実施例５】
【００６９】
本実施例５は、居住者データベース２２に各居住者と各居住者の所有するまたは登録した車両ナンバーとが対応付けられて記憶されていることを利用し、また車両ナンバーを照合する手段を備えていることを利用して、防犯のみならず、家族の帰宅を事前に知らせる付加サービスを提供する実施例である。
【００７０】
すなわち、居住者データベース２２に登録されている任意の居住者の車両がアクセス道路Ｂ１を通って街内に侵入すると、アクセス道路Ｂ１の入口に設置されたＷｅｂカメラ１１ａによって車両ナンバーが読み取られ、通信回線Ｎを通じてセキュリティー管理装置２１に送信される。
【００７１】
セキュリティー管理装置２１では、送信されてきた車両ナンバーが、どちらのＷｅｂカメラ１１ａ，１１ｂによって撮影されたものであるかを認識して、車両が特定地域Ａ内に進入してきたものであるのか、特定地域Ａから退出するものであるのかを判断する。そして、その判断結果と、送信されてきた日時と、車両ナンバーとを図示しない内部メモリに一時的に格納する。
【００７２】
次に、セキュリティー管理装置２１は、送信されてきた車両ナンバーと居住者データベース２２に予め登録されている車両ナンバーとを照合手段２４によって照合する。その結果、Ｗｅｂカメラ１１ａから送信されてきた車両ナンバーが居住者データベース２２に登録されている車両ナンバーである場合には、その車両ナンバーを登録している地域居住者の端末装置３１に対して該当車両が地域内に進入したことを通報する。ここで、登録されている車両は、家族で所有する車両の他に、知人の車両やサービス車両である場合もある。従って、居住者データベース２２の車両ナンバーの項目欄には、車両ナンバーのみならずこれらの種別も登録可能としておく。これにより、セキュリティー管理装置２１では、登録されている車両が家族の車両であるのか、知人の車両であるのか、サービス車両であるのかを認識できるので、その種別に応じたメッセージを端末装置３１に送信する。なお、この場合にはプライバシー保護のため、内部メモリに一時的に格納したデータを消去する。
【００７３】
図１１は、端末装置３１に送信する各種メッセージ例を示している。
【００７４】
例えば、家族の車が地域内に入ってきた場合には、図１１（ａ）に示すように、「お父さん（または、家族の人）が帰ってきました。」等のメッセージを表示する。また、知人の車が地域内に入ってきた場合には、図１１（ｂ）に示すように、「知り合いの方が到着されました。」等のメッセージを表示する。この場合、居住者データベース２２に知人の氏名も登録している場合には、「○○さんが到着されました。」というように、その人の氏名を表示するようにしてもよい。また、定期的に巡回してくるクリーニング屋の車両が地域内に入ってきた場合には、図１１（ｃ）に示すように、「クリーニング屋さんが来られました。」等のメッセージを表示する。なお、画面下に表示されている「ＯＫ」ボタンを押すことで、表示が解除されるようになっている。
【００７５】
このように、本来は防犯用に登録されている居住者データベース２２を利用することで、地域居住者に対して帰宅者または来訪者の事前通知を行うサービスを新たに提供することができる。
【００７６】
なお、上記各実施例１〜４では、地域内に進入した不審車両または手配車両を地域居住者の端末装置３１に通報するように構成しているが、このような構成に加え、不審車両等の進入を未然に防止するために、アクセス道路Ｂ１の入口に防犯灯などを設置し、不審車両等が地域内に進入した場合には、防犯灯を点灯または点滅させて、不審者に発見されたことを認知させるようにすれば、防犯効果をより高めることができる。
【００７７】
また、上記各実施例１〜４では、地域居住者の端末装置３１に不審車両の進入を表示する構成としているが、このような構成に加え、端末装置３１から警告音を出力するように、または端末装置３１とは別に設置した警告音出力装置（図示省略）より警告音を出力するように構成してもよい。これにより、地域居住者は、いちいち端末装置３１の画面を見なくても、不審車両の地域内への侵入を警告音によって認識することが可能となる。
【００７８】
さらに、上記実施例１〜４では、Ｗｅｂカメラ１１ａ，１１ｂをアクセス道路Ｂ１のみに設置した構成としているが、特定地域Ａ内の所要箇所（例えば、公園の前や学校の前、曲がり角等）に複数個設置しておくことで、地域内に進入した不審車両を自動追跡することが可能となり、地域居住者によりきめ細かい通報（例えば、今、何丁目の角を曲がった等の通報）を行うことが可能となる。
【図面の簡単な説明】
【００７９】
【図１】本発明の特定地域防犯システムの全体構成を示すブロック図である。
【図２】特定地域Ａの一例を模式的に示した平面図である。
【図３】居住者データベースのデータ構成の一例を示す説明図である。
【図４】不審車両管理データベースのデータ構成の一例を示す説明図である。
【図５】不審車両管理データベースにデータを登録する様子を示す説明図である。
【図６】端末装置による不審車両の通知例を示す説明図である。
【図７】端末装置を用いて来訪者の車両ナンバーを不審車両の対象から外す場合の操作画面例を示す説明図である。
【図８】本発明の実施例４における特定地域防犯システムのシステム構成図である
【図９】不審車両管理データベースにデータを登録する様子を示す説明図である。
【図１０】端末装置による手配車両の通知例を示す説明図である。
【図１１】端末装置に送信する各種メッセージ例を示す説明図である。
【符号の説明】
【００８０】
１１  Ｗｅｂカメラ
１１ａ  進入用のＷｅｂカメラ
１１ｂ  退出用のＷｅｂカメラ
２１  セキュリティー管理装置
２２  居住者データベース
２３  不審車両データベース
２４  照合手段
２５  時計部
３１  端末装置
４１  サーバ装置
４２  手配車両データベース
Ｎ  通信ネットワーク
【図１】
2005165616.tif 000003
【図２】
2005165616.tif 000004
【図３】
2005165616.tif 000005
【図４】
2005165616.tif 000006
【図５】
2005165616.tif 000007
【図６】
2005165616.tif 000008
【図７】
2005165616.tif 000009
【図８】
2005165616.tif 000010
【図９】
2005165616.tif 000011
【図１０】
2005165616.tif 000012
【図１１】
2005165616.tif 000013